(57)【特許請求の範囲】
【請求項１】
差動符号化変調方式を含めた複数の変調方式に対応する通信装置の受信処理回路に適用され、前記複数の変調方式の中から指定された変調方式に応じて受信信号を複数系統の信号に分配し、分配された複数系統の受信信号に関して復号処理を行う差動復号回路であって、
前記複数系統の受信信号のそれぞれを差動復号処理に関連する時間だけ遅延する遅延手段と、
前記指定された変調方式に応じて、前記遅延手段から出力される複数系統の遅延信号と前記複数系統の受信信号の中から、差動復号に必要な信号を選択する選択手段と、
前記指定された変調方式に応じて、前記複数系統の受信信号および前記選択手段が選択した信号に対して差動復号の演算を行う演算手段と
を備えたことを特徴とする差動復号回路。
【請求項２】
請求項１に記載の差動復号回路において、
前記通信装置は、クライアント送信信号を光送信信号として送信し、クライアント受信信号を光受信信号として受信する通信装置であり、
前記複数の変調方式は、ＤＰ−ＤＱＰＳＫ、ＤＰ−ＤＢＰＳＫ、およびＳＰ−ＤＱＰＳＫのうちのいずれか２つ以上とする
ことを特徴とする差動復号回路。
【発明の詳細な説明】
【技術分野】
【０００１】
本発明は、複数の変調方式に対応するディジタル通信装置に適用される差動復号回路に関する。
【背景技術】
【０００２】
複数の変調方式に対応する従来のディジタル通信装置としては、マッピング部および振幅補正部を備えた以下のものがある（例えば、特許文献１参照）。マッピング部は、指定変調方式が、その属する変調方式の組において最大多値数を有しない場合に、最大多値数の変調方式のシンボルの集合の一部に属するシンボルに送信信号を変換する。そして、振幅補正部は、振幅を補正する。このような構成を備えることで、各変調方式で行う処理に関して同一回路を共用化することができ、回路規模の節約を図っている。
【先行技術文献】
【特許文献】
【０００３】
【特許文献１】特開２００６−１１５３９３号公報
【発明の概要】
【発明が解決しようとする課題】
【０００４】
しかしながら、従来技術には、以下のような課題がある。
従来の複数の変調方式に対応するディジタル通信装置では、送信処理回路は共用化されているが、受信処理回路は共用化されていなかった。このため、対応する変調方式の増加により、受信処理回路の回路規模が増大するという問題点があった。
【０００５】
本発明は、前記のような課題を解決するためになされたものであり、複数の変調方式に対応するディジタル通信装置における受信処理回路の回路規模を節約することを可能とする差動復号回路を得ることを目的とする。
【課題を解決するための手段】
【０００６】
本発明に係る差動復号回路は、差動符号化変調方式を含めた複数の変調方式に対応する通信装置の受信処理回路に適用され、複数の変調方式の中から指定された変調方式に応じて受信信号を複数系統の信号に分配し、分配された複数系統の受信信号に関して復号処理を行う差動復号回路であって、複数系統の受信信号のそれぞれを差動復号処理に関連する時間だけ遅延する遅延手段と、指定された変調方式に応じて、遅延手段から出力される複数系統の遅延信号と複数系統の受信信号の中から、差動復号に必要な信号を選択する選択手段と、指定された変調方式に応じて、複数系統の受信信号および選択手段が選択した信号に対して差動復号の演算を行う演算手段とを備えるものである。
【発明の効果】
【０００７】
本発明に係る差動復号回路によれば、遅延回路、セレクタ、および演算回路を含む構成を有し、変調方式に応じた差動復号処理を、共用化された構成で実現することにより、複数の変調方式に対応するディジタル通信装置における受信処理回路の回路規模を節約することを可能とする差動復号回路を得ることができる。
【図面の簡単な説明】
【０００８】
【図１】本発明の実施の形態１に係る差動復号回路を含む光送受信回路の詳細を示す構成図である。
【図２】本発明の実施の形態１に係る差動復号／軟判定の構成図である。
【図３】本発明の実施の形態１に係る図２の差動復号／軟判定において、変調方式がＤＰ−ＤＱＰＳＫの場合の信号の流れを示す図である。
【図４】本発明の実施の形態１に係る図２の差動復号／軟判定において、変調方式がＤＰ−ＤＢＰＳＫの場合の信号の流れを示す図である。
【図５】本発明の実施の形態２に係る差動復号回路を含む光送受信回路の詳細を示す構成図である。
【図６】本発明の実施の形態２に係る差動復号／軟判定の構成図である。
【図７】本発明の実施の形態２に係る図６の差動復号／軟判定において、変調方式がＤＰ−ＤＱＰＳＫの場合の信号の流れを示す図である。
【図８】本発明の実施の形態２に係る図６の差動復号／軟判定において、変調方式がＳＰ−ＤＱＰＳＫの場合の信号の流れを示す図である。
【発明を実施するための形態】
【０００９】
以下、本発明の差動復号回路の好適な実施の形態につき図面を用いて説明する。
【００１０】
実施の形態１．
図１は、本発明の実施の形態１に係る差動復号回路を含む光送受信回路の詳細を示す構成図である。図１における光送受信回路は、ＯＴＵｋ（ｋ＝０，１，２，３，４・・・）（Ｏｐｔｉｃａｌ  ｃｈａｎｎｅｌ  Ｔｒａｎｓｐｏｒｔ  Ｕｎｉｔ―ｋ）フレーマ１０およびディジタル信号処理光トランシーバ２０を備えている。そして、ＯＴＵｋフレーマ１０は、ＯＴＵｋフレーム生成１１およびマルチレーン分配１２を備えた送信部と、マルチレーン同期１３およびＯＴＵｋフレーム終端１４を備えた受信部とで構成されている。
【００１１】
一方、ディジタル信号処理光トランシーバ２０は、マルチレーン同期２１、軟判定誤り訂正符号２２、マルチレーン分配２３、差動符号２４、多重化２５、Ｄ／Ａ変換２６、およびＥ／Ｏ変換２７を備えた光送信部と、受信フロントエンド３０、Ａ／Ｄ変換４０、およびディジタル信号処理部５０を備えた光受信部とで構成されている。
【００１２】
ここで、受信フロントエンド３０は、偏波ビームスプリッタ３１（ＰＢＳ３１）、ローカルオシレータ３２（ＬＯ３２）、偏波ビームスプリッタ３３（ＰＢＳ３３）、９０°光ハイブリッド３４、Ｏ／Ｅ変換３５、およびＡＭＰ３６を備えている。また、ディジタル信号処理部５０は、多重分離＆適応等化フィルタ５１、１：２ＤＥＭＵＸ５２ａ、５２ｂ、セレクタ５３ａ、５３ｂ（ＳＥＬ５３ａ、５３ｂ）、マルチレーン同期５４、差動復号／軟判定５５、軟判定誤り訂正復号５６、およびマルチレーン分配５７を備えている。
【００１３】
次に、図１に示す光送受信回路の動作について説明する。まず始めに、ＯＴＵｋフレーマ１０の動作について説明する。ＯＴＵｋフレーム生成１１は、入力されたクライアント送信信号をＯＴＵｋフレームにマッピングして、フレーム同期や保守制御に必要な情報を付加する。
【００１４】
マルチレーン分配１２は、ＯＴＵｋフレーム生成１１で必要な情報が付加されたＯＴＵｋフレームを複数のレーンに分配して、ＳＦＩ（Ｓｅｒｄｅｓ  Ｆｒａｍｅｒ  Ｉｎｔｅｒｆａｃｅ）送信信号としてディジタル信号処理光トランシーバ２０へ出力する。
【００１５】
一方、マルチレーン同期１３は、ディジタル信号処理光トランシーバ２０からのＳＦＩ送信信号に対して複数レーン間の同期をとって、ＯＴＵｋフレームをＯＴＵｋフレーム終端１４へ出力する。
【００１６】
ＯＴＵｋフレーム終端１４は、マルチレーン同期１３により同期がとられたＯＴＵｋフレームに対して、フレーム同期や保守制御に必要な情報を終端し、クライアント受信信号をＯＴＵｋフレームからデマッピングし、クライアント受信信号を出力する。
【００１７】
次に、ディジタル信号処理光トランシーバ２０の動作について説明する。マルチレーン同期２１は、ＯＴＵｋフレーマ１０からのＳＦＩ送信信号に対して複数レーン間の同期をとったＳＦＩ送信信号を軟判定誤り訂正符号２２へ出力する。
【００１８】
軟判定誤り訂正符号２２は、符号化手段であり、マルチレーン同期２１により同期がとられたＳＦＩ送信信号に対して、軟判定用の誤り訂正符号により符号化処理を行う。マルチレーン分配２３は、誤り訂正符号化後の信号を複数のレーンに分配する。差動符号２４は、マルチレーン分配２３の出力に対して差動符号化を行う。
【００１９】
多重化２５は、差動符号２４の出力を多重化する。Ｄ／Ａ（ディジタル／アナログ）変換２６は、多重化後のディジタル信号をアナログ信号へ変換する。Ｅ／Ｏ（電気／光）変換２７は、Ｄ／Ａ変換２６の出力のアナログ電気信号を、光信号に変換して光送信信号を通信路へ送信する。
【００２０】
一方、受信フロントエンド３０は、通信路からの光受信信号を電気のアナログ信号に変換する。具体的には、この受信フロントエンド３０は、通信路から受信した光信号のＸ偏波とＹ偏波を分離するＰＢＳ３１と、コヒーレント受信を行うためのＬＯ３２と、ＬＯを偏波分離するＰＢＳ３３と、偏波分離された光信号とＬＯの信号を混合する９０°光ハイブリッド３４と、受信した光信号を電気信号に変換するＯ／Ｅ変換３５と、Ｏ／Ｅ変換された信号を増幅するＡＭＰ３６とで構成されている。さらに、Ａ／Ｄ（アナログ／ディジタル）変換４０は、ＡＭＰ３６を介して受信したアナログ信号をディジタル信号に変換する。
【００２１】
次に、ディジタル信号処理部５０は、Ａ／Ｄ変換後の信号に対してディジタル信号処理を施し、ＳＦＩ受信信号を生成し、ＯＴＵｋフレーマ１０に出力する。具体的には、このディジタル信号処理部５０内の多重分離＆適応等化フィルタ５１は、Ａ／Ｄ変換４０の出力を多重分離し、多重分離した信号に対して検波を行い、通信路で受けた信号の歪みを等化する。
【００２２】
１：２ＤＥＭＵＸ５２ａ、５２ｂは、それぞれ多重分離＆適応等化フィルタ５１の出力を２分配する。ＳＥＬ５３ａ、５３ｂは、それぞれ１：２ＤＥＭＵＸ５２ａ、５２ｂにより２分配された信号（２分配後の信号）と、分配されていない多重分離＆適応等化フィルタ５１からの出力信号（２分配前の信号）のいずれか一方を選択する。
【００２３】
マルチレーン同期５４は、複数のレーン間の同期をとる。差動復号／軟判定５５は、マルチレーン同期５４の出力に対して差動符号の復号化および軟判定処理を行い、軟判定値を出力する。軟判定誤り訂正復号５６は、軟判定用の誤り訂正符号の復号化処理を行う。さらに、マルチレーン分配５７は、軟判定誤り訂正復号５６の出力をＳＦＩ受信信号としてＯＴＵｋフレーマへ出力する。
【００２４】
このような各機能を踏まえ、本実施の形態１のディジタル信号処理光トランシーバ２０における受信動作について説明する。本実施の形態１におけるディジタル信号処理光トランシーバ２０は、ＤＰ（Ｄｕａｌ  Ｐｏｌａｒｉｚａｔｉｏｎ）−ＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）、ＤＰ−ＤＢＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）の２つの差動符号化変調方式に対応する。
【００２５】
通信路から受信した光受信信号は、受信フロントエンド３０において、Ｘ偏波成分とＹ偏波成分それぞれのＩチャネルとＱチャネルの計４チャネルに分離され、多重分離＆適応等化フィルタ５１で検波が行われる。変調方式がＤＰ−ＤＱＰＳＫの場合、Ｘ偏波成分とＹ偏波成分それぞれのＩチャネルとＱチャネルの組に、各２ビットの情報ビットがマッピングされている。このため、多重分離＆適応等化フィルタ５１から計４チャネルの有意な信号が出力される。
【００２６】
一方、変調方式がＤＰ−ＤＢＰＳＫの場合、Ｘ偏波成分とＹ偏波成分それぞれのＩチャネルにのみ各１ビットの情報ビットがマッピングされている。このため、多重分離＆適応等化フィルタ５１から計２チャネルの有意な信号が出力される。
【００２７】
そこで、多重分離＆適応等化フィルタ５１の出力を１：２ ＤＥＭＵＸ５２ａ、５２ｂにより２系統に分配する。そして、ＳＥＬ５３ａ、５３ｂは、変調方式がＤＰ−ＤＱＰＳＫの場合には、２分配前の信号を選択し、ＤＰ−ＤＢＰＳＫの場合には、２分配後の信号を選択する。この結果、レーン１〜４の４レーン分の信号が構成される。
【００２８】
このように、ディジタル信号処理部５０の前段の回路部（すなわち、多重分離＆適応等化フィルタ５１、１：２ＤＥＭＵＸ５２ａ、５２ｂ、ＳＥＬ５３ａ、５３ｂからなる回路部）の働きにより、変調方式に応じて、受信信号が４レーンに分配される。
【００２９】
さらに、ディジタル信号処理部５０の後段の回路部（すなわち、マルチレーン同期５４以降の回路部）は、変調方式がどちらの場合においても、４レーンで動作する共通の回路構成となっている。４レーンに対してマルチレーン同期５４、差動復号／軟判定５５、軟判定誤り訂正復号５６、マルチレーン分配５７により各処理が行われることで、ＳＦＩ受信信号が生成され、ＯＴＵｋフレーマ１０へ出力される。特に、本願発明では、差動復号／軟判定５５の回路構成を工夫することで、異なる変調方式に対応可能な共用化を図っていることを技術的特徴としている。そこで、この差動復号／軟判定５５の回路構成およびその動作について、図２〜４を用いて以下に説明する。
【００３０】
図２は、本発明の実施の形態１に係る差動復号／軟判定５５の構成図である。差動復号／軟判定５５（差動復号回路に相当）は、レーン１〜４それぞれの入力信号を１クロック遅延させる４つの遅延回路５５ａ（遅延手段に相当）、２信号から１信号を選択するための４つのＳＥＬ５５ｂ（選択手段に相当）、および２レーンの信号の差動符号の復号化および軟判定の処理を行うことで２レーンの軟判定値を出力する２つの演算回路５５ｃ（演算手段に相当）から構成される。
【００３１】
図３は、本発明の実施の形態１に係る図２の差動復号／軟判定５５において、変調方式がＤＰ−ＤＱＰＳＫの場合の信号の流れを示す図である。この図３を用いて、変調方式がＤＰ−ＤＱＰＳＫの場合における差動復号／軟判定５５の動作について、詳細に説明する。光通信路上の時刻ｋ（ｋは整数）における受信信号のＸ偏波成分Ｉチャネル、Ｘ偏波成分Ｑチャネル、Ｙ偏波成分Ｉチャネル、Ｙ偏波成分Ｑチャネルに対応する信号を、それぞれＸＩ（ｋ）、ＸＱ（ｋ）、ＹＩ（ｋ）、ＹＱ（ｋ）とおく。
【００３２】
変調方式がＤＰ−ＤＱＰＳＫの場合には、上述の１：２ＤＥＭＵＸ５２ａ、５２ｂで２系統に分配されていない信号（２分配前の信号）が差動復号／軟判定５５に入力される。このため、レーン１にはＸＩ（ｋ）、ＸＩ（ｋ＋１）、ＸＩ（ｋ＋２）、・・・が、レーン２にはＸＱ（ｋ）、ＸＱ（ｋ＋１）、ＸＱ（ｋ＋２）、・・・が、レーン３にはＹＩ（ｋ）、ＹＩ（ｋ＋１）、ＹＩ（ｋ＋２）、・・・が、レーン４にはＹＱ（ｋ）、ＹＱ（ｋ＋１）、ＹＱ（ｋ＋２）、・・・が、それぞれ１クロックごとに入力される。
【００３３】
ここで、ＸＩ（ｋ）、ＸＱ（ｋ）の処理について説明する。ＸＩ（ｋ−１）、ＸＱ（ｋ−１）は、それぞれＸＩ（ｋ）、ＸＱ（ｋ）の１クロック前の信号であり、遅延回路５５ａにより得られる。ＳＥＬ５５ｂで、ＸＩ（ｋ−１）、ＸＱ（ｋ−１）を選択し、ＸＩ（ｋ）、ＸＱ（ｋ）と共に、演算回路５５ｃへ入力する。
【００３４】
ＤＱＰＳＫ変調では、ＸＩ（ｋ−１）、ＸＱ（ｋ−１）を基準としたＸＩ（ｋ）、ＸＱ（ｋ）の差分に、２ビットの情報ビットがマッピングされている。そこで、これを演算回路５５ｃでデマッピングして得られた２つの軟判定値を、それぞれレーン１、レーン２に出力する。ＹＩ（ｋ）、ＹＱ（ｋ）についても、ＸＩ（ｋ）、ＸＱ（ｋ）と同様の処理を行い、得られた軟判定値をそれぞれレーン３、レーン４に出力する。上述の処理は、時刻ｋの値に関わらず同じである。
【００３５】
これに対して、図４は、本発明の実施の形態１に係る図２の差動復号／軟判定５５において、変調方式がＤＰ−ＤＢＰＳＫの場合の信号の流れを示す図である。この図４を用いて、変調方式がＤＰ−ＤＢＰＳＫの場合における差動復号／軟判定５５の動作について、詳細に説明する。
【００３６】
変調方式がＤＰ−ＤＢＰＳＫの場合には、上述の１：２ＤＥＭＵＸ５２ａ、５２ｂで２系統に分配されたＩチャネルの信号が入力される。このため、レーン１にはＸＩ（ｋ）、ＸＩ（ｋ＋２）、ＸＩ（ｋ＋４）、・・・が、レーン２にはＸＩ（ｋ＋１）、ＸＩ（ｋ＋３）、ＸＩ（ｋ＋５）、・・・が、レーン３にはＹＩ（ｋ）、ＹＩ（ｋ＋２）、ＹＩ（ｋ＋４）、・・・が、レーン４にはＹＩ（ｋ＋１）、ＹＩ（ｋ＋３）、ＹＩ（ｋ＋５）、・・・が、それぞれ１クロックごとに入力される。
【００３７】
ここで、ＸＩ（ｋ）、ＸＩ（ｋ＋１）の処理について説明する。ＸＩ（ｋ−１）は、ＸＩ（ｋ＋１）の１クロック前の信号であり、遅延回路５５ａにより得られる。ＳＥＬ５５ｂで、ＸＩ（ｋ−１）、ＸＩ（ｋ）を選択し、ＸＩ（ｋ）、ＸＩ（ｋ＋１）と共に、演算回路５５ｃへ入力する。
【００３８】
ＤＢＰＳＫ変調では、ＸＩ（ｋ−１）を基準としたＸＩ（ｋ）の差分、およびＸＩ（ｋ）を基準としたＸＩ（ｋ＋１）の差分に、各１ビットの情報ビットがマッピングされている。そこで、これらを演算回路５５ｃでデマッピングして得られた２つの軟判定値を、それぞれレーン１、レーン２に出力する。ＹＩ（ｋ）、ＹＩ（ｋ＋１）についても、ＸＩ（ｋ）、ＸＩ（ｋ＋１）と同様の処理を行い、得られた軟判定値をそれぞれレーン３、レーン４に出力する。上述の処理は、時刻ｋの値に関わらず同じである。
【００３９】
従来技術では、ＤＰ−ＤＱＰＳＫとＤＰ−ＤＢＰＳＫの２つの変調方式に対応した復号処理を行うに当たっては、個別の差動復号／軟判定５５を設ける必要があった。これに対し、本実施の形態１では、演算回路５５ｃの前段に遅延回路５５ａおよびＳＥＬ５５ｂを設けることにより、２つの変調方式で差動復号／軟判定５５を共用化することが可能となる。
【００４０】
以上のように、実施の形態１によれば、遅延回路、ＳＥＬ、および演算回路を備えた差動復号／軟判定を用いて、変調方式に応じた差動復号処理を行っている。これにより、ＤＰ−ＤＱＰＳＫとＤＰ−ＤＢＰＳＫの２つの変調方式に対して、差動復号／軟判定を共用化できる。この結果、複数の変調方式に対応するディジタル通信装置における受信処理回路の回路規模を節約することが可能となる。
【００４１】
実施の形態２．
図５は、本発明の実施の形態２に係る差動復号回路を含む光送受信回路の詳細を示す構成図である。本実施の形態２の光送受信回路における図５の構成は、先の実施の形態１の光送受信回路における図１の構成と比較すると、多重分離＆適応等化フィルタ５１とマルチレーン同期５４との間の、１：２ＤＥＭＵＸ５２ａ、５２ｂ、およびＳＥＬ５３ａ、５３ｂの接続が異なる。その他の構成は、先の実施の形態１と同様である。そこで、この異なる構成を中心に、以下に説明する。
【００４２】
本実施の形態２のディジタル信号処理光トランシーバ２０における受信動作について説明する。本実施の形態２におけるディジタル信号処理光トランシーバ２０は、ＤＰ−ＤＱＰＳＫ、ＳＰ（Ｓｉｎｇｌｅ  Ｐｏｌａｒｉｚａｔｉｏｎ）−ＤＱＰＳＫの２つの差動符号化変調方式に対応する。
【００４３】
通信路から受信した光受信信号は、受信フロントエンド３０において、Ｘ偏波成分とＹ偏波成分それぞれのＩチャネルとＱチャネルの計４チャネルに分離され、多重分離＆適応等化フィルタ５１で検波が行われる。変調方式がＤＰ−ＤＱＰＳＫの場合、Ｘ偏波成分とＹ偏波成分それぞれのＩチャネルとＱチャネルの組に、各２ビットの情報ビットがマッピングされている。このため、多重分離＆適応等化フィルタ５１から計４チャネルの有意な信号が出力される。
【００４４】
一方、変調方式がＳＰ−ＤＱＰＳＫの場合、Ｘ偏波成分のＩチャネルとＱチャネルの組にのみ２ビットの情報ビットがマッピングされている。このため、多重分離＆適応等化フィルタ５１から計２チャネルの有意な信号が出力される。
【００４５】
そこで、多重分離＆適応等化フィルタ５１の出力を１：２ＤＥＭＵＸ５２ａ、５２ｂにより２系統に分配する。そして、ＳＥＬ５３ａ、５３ｂは、変調方式がＤＰ−ＤＱＰＳＫの場合には、２分配前の信号を選択し、ＳＰ−ＤＱＰＳＫの場合には、２分配後の信号を選択する。この結果、レーン１〜４の４レーン分の信号が構成される。
【００４６】
このように、ディジタル信号処理部５０の前段の回路部（すなわち、多重分離＆適応等化フィルタ５１、１：２ＤＥＭＵＸ５２ａ、５２ｂ、ＳＥＬ５３ａ、５３ｂからなる回路部）の働きにより、変調方式に応じて、受信信号が４レーンに分配される。
【００４７】
さらに、ディジタル信号処理部５０の後段の回路部（すなわち、マルチレーン同期５４以降の回路部）は、変調方式がどちらの場合においても、４レーンで動作する共通の回路構成となっている。４レーンに対してマルチレーン同期５４、差動復号／軟判定５５、軟判定誤り訂正復号５６、マルチレーン分配５７により各処理が行われることで、ＳＦＩ受信信号が生成され、ＯＴＵｋフレーマ１０へ出力される。特に、本願発明では、差動復号／軟判定５５の回路構成を工夫することで、異なる変調方式に対応可能な共用化を図っていることを技術的特徴としている。そこで、この差動復号／軟判定５５の回路構成およびその動作について、図６〜８を用いて以下に説明する。
【００４８】
図６は、本発明の実施の形態２に係る差動復号／軟判定５５の構成図である。この図６における構成は、先の実施の形態１における図２の構成と比較すると、遅延回路５５ａとＳＥＬ５５ｂとの接続が異なる。それ以外の構成は、先の実施の形態１と同様である。
【００４９】
図７は、本発明の実施の形態２に係る図６の差動復号／軟判定５５において、変調方式がＤＰ−ＤＱＰＳＫの場合の信号の流れを示す図である。変調方式がＤＰ−ＤＱＰＳＫの場合における差動復号／軟判定５５の動作は、先の実施の形態１における図３の動作と同様である。
【００５０】
これに対して、図８は、本発明の実施の形態２に係る図６の差動復号／軟判定５５において、変調方式がＳＰ−ＤＱＰＳＫの場合の信号の流れを示す図である。この図８を用いて、変調方式がＳＰ−ＤＱＰＳＫの場合における差動復号／軟判定５５の動作について、詳細に説明する。
【００５１】
変調方式がＳＰ−ＤＱＰＳＫの場合には、上述の１：２ＤＥＭＵＸ５２ａ、５２ｂで２系統に分配されたＸ偏波成分の信号（２分配後の信号）が入力される。このため、レーン１にはＸＩ（ｋ）、ＸＩ（ｋ＋２）、ＸＩ（ｋ＋４）、・・・が、レーン２にはＸＱ（ｋ）、ＸＱ（ｋ＋２）、ＸＱ（ｋ＋４）、・・・が、レーン３にはＸＩ（ｋ＋１）、ＸＩ（ｋ＋３）、ＸＩ（ｋ＋５）、・・・が、レーン４にはＸＱ（ｋ＋１）、ＸＱ（ｋ＋３）、ＸＱ（ｋ＋５）、・・・が、それぞれ１クロックごとに入力される。
【００５２】
ここでＸＩ（ｋ）、ＸＱ（ｋ）の処理について説明する。ＸＩ（ｋ−１）、ＸＱ（ｋ−１）は、それぞれＸＩ（ｋ＋１）、ＸＱ（ｋ＋１）の１クロック前の信号であり、遅延回路５５ａにより得られる。ＳＥＬ５５ｂで、ＸＩ（ｋ−１）、ＸＱ（ｋ−１）を選択し、ＸＩ（ｋ）、ＸＱ（ｋ）と共に、演算回路５５ｃへ入力する。
【００５３】
ＳＰ−ＤＱＰＳＫ変調では、ＸＩ（ｋ−１）、ＸＱ（ｋ−１）を基準としたＸＩ（ｋ）、ＸＱ（ｋ）の差分に２ビットの情報ビットがマッピングされている。そこで、これらを演算回路５５ｃでデマッピングして得られた２つの軟判定値を、それぞれレーン１、レーン２に出力する。
【００５４】
次に、ＸＩ（ｋ＋１）、ＸＱ（ｋ＋１）の処理について説明する。ＳＥＬ５５ｂで、ＸＩ（ｋ）、ＸＱ（ｋ）を選択し、ＸＩ（ｋ＋１）、ＸＱ（ｋ＋１）と共に、演算回路５５ｃへ入力する。
【００５５】
ＳＰ−ＤＱＰＳＫ変調では、ＸＩ（ｋ）、ＸＱ（ｋ）を基準としたＸＩ（ｋ＋１）、ＸＱ（ｋ＋１）の差分に各２ビットの情報ビットがマッピングされている。そこで、これらを演算回路５５ｃでデマッピングして得られた２つの軟判定値を、それぞれレーン３、レーン４に出力する。
【００５６】
従来技術では、ＤＰ−ＤＱＰＳＫとＳＰ−ＤＱＰＳＫの２つの変調方式に対応した復号処理を行うに当たっては、個別の差動復号／軟判定５５を設ける必要があった。これに対し、本実施の形態２では、演算回路５５ｃの前段に遅延回路５５ａおよびＳＥＬ５５ｂを設けることにより、２つの変調方式で差動復号／軟判定５５を共用化することが可能となる。
【００５７】
以上のように、実施の形態１によれば、遅延回路、ＳＥＬ、および演算回路を備えた差動復号／軟判定を用いて、変調方式に応じた差動復号処理を行っている。これにより、ＤＰ−ＤＱＰＳＫとＳＰ−ＤＱＰＳＫの２つの変調方式に対して、差動復号／軟判定を共用化できる。この結果、複数の変調方式に対応するディジタル通信装置における受信処理回路の回路規模を節約することが可能となる。
【００５８】
なお、上述した実施の形態１、２では、差動復号と軟判定の処理を行う回路を共用化する場合について説明した。しかしながら、本発明の差動復号回路は、これに限らず、差動復号機能を有する回路であれば適用することができ、同様の効果を得ることが可能である。
【００５９】
また、上述した実施の形態１、２では、２つの変調方式を用いる場合について説明した。しかしながら、本発明はこれに限らず、３つ以上の差動符号化変調方式を含む複数の変調方式に対しても適用可能であり、同様の効果を得ることができる。
【００６０】
また、上述した実施の形態１、２では、４チャネルが各１系統の信号で構成され、差動復号／軟判定の入力における４レーンが各１系統の信号で構成される場合について説明した。しかしながら、本発明はこれに限らず、前段で１チャネルあたりｎ系統の信号に分配されており、ｍチャネルが各ｎ系統の信号で構成され、差動復号／軟判定の入力におけるｉレーンが各ｊ系統の信号で構成される場合（ｍ、ｎ、ｉ、ｊは正の整数）にも適用可能であり、同様の効果を得ることができる。
【符号の説明】
【００６１】
１０  ＯＴＵｋフレーマ、１１  ＯＴＵｋフレーム生成（ＯＴＵｋフレーム生成回路）、１２  マルチレーン分配（マルチレーン分配回路）、１３  マルチレーン同期（マルチレーン同期回路）、１４  ＯＴＵｋフレーム終端（ＯＴＵｋフレーム終端回路）、２０  ディジタル信号処理光トランシーバ、２１  マルチレーン同期（マルチレーン同期回路）、２２  軟判定誤り訂正符号（軟判定誤り訂正符号回路）、２３  マルチレーン分配（マルチレーン分配回路）、２４  差動符号（差動符号回路）、２５  多重化（多重化回路）、２６  Ｄ／Ａ変換（Ｄ／Ａ変換回路）、２７  Ｅ／Ｏ変換（Ｅ／Ｏ変換回路）、３０  受信フロントエンド（受信フロントエンド回路）、３１  偏波ビームスプリッタ（偏波ビームスプリッタ回路）、３２  ローカルオシレータ（ローカルオシレータ回路）、３３  偏波ビームスプリッタ（偏波ビームスプリッタ回路）、３４  ９０°光ハイブリッド（９０°光ハイブリッド回路）、３５  Ｏ／Ｅ変換（Ｏ／Ｅ変換回路）、３６  ＡＭＰ（増幅回路）、４０  Ａ／Ｄ変換（Ａ／Ｄ変換回路）、５０  ディジタル信号処理部、５１  多重分離＆適応等化フィルタ（多重分離＆適応等化フィルタ回路）、５２ａ、５２ｂ  １：２ＤＥＭＵＸ（１：２ＤＥＭＵＸ回路）、５３ａ、５３ｂ  ＳＥＬ（ＳＥＬ回路）、５４  マルチレーン同期（マルチレーン同期回路）、５５  差動復号／軟判定（差動復号／軟判定回路）、５５ａ  遅延回路、５５ｂ  ＳＥＬ（ＳＥＬ回路）、５５ｃ  演算回路、５６  軟判定誤り訂正復号（軟判定誤り訂正復号回路）、５７  マルチレーン分配（マルチレーン分配回路）。
【図１】
0005409253.tif 000002
【図２】
0005409253.tif 000003
【図３】
0005409253.tif 000004
【図４】
0005409253.tif 000005
【図５】
0005409253.tif 000006
【図６】
0005409253.tif 000007
【図７】
0005409253.tif 000008
【図８】
0005409253.tif 000009